(57)【要約】
【課題】各種の物品を個別に包み込みでき、且つ持ち運びに便利な取手が形成できるようにした多用途風呂敷を提供する。
【解決手段】二枚の略正方形のシート部材１，２を上下重ね合わせ、この重ね合わせた二枚のシート部材１，２の四辺１ａ〜１ｄと２ａ〜２ｄの各略中央部（Ｖ，Ｗ）を結ぶ十文字３，５線上を接合させたものである。上記多用途風呂敷１００によると、１つの小物から５つまで以上の複数小物の包み込みが独立してできるとともに、各種の包み込みの形態が簡単な結びで容易にできる。そして、和風の高級感が醸し出せるし、各小物が独立して包めるから商品の保護を図ることができ、且つ持ち手の形成等で持ち運びも便利化できる。
【選択図】図１
0003099509.tif 000002
【実用新案登録請求の範囲】
【請求項１】
二枚の略正方形のシート部材を上下重ね合わせ、この重ね合わせた二枚のシート部材の四辺の各略中央部を結ぶ十文字線上を接合させたことを特徴とする多用途風呂敷。
【請求項２】
上記二枚のシート部材は、布製であり、十文字線上を縫製させたことを特徴とする請求項１記載の多用途風呂敷。
【請求項３】
上記二枚のシート部材は、熱可塑性合成樹脂製であり、十文字線上をヒートシールさせたことを特徴とする請求項１記載の多用途風呂敷。
【請求項４】
上記二枚のシート部材は、不織布であり、十文字線上を接着させたことを特徴とする請求項１記載の多用途風呂敷。
【考案の詳細な説明】
【技術分野】
【０００１】
　本考案は、風呂敷に係り、特に、各種商品に対応できる包み方を可能とした多用途風呂敷に関するものである。
【背景技術】
【０００２】
　風呂敷は、多くのものが提案されている。例えば、図２０に示すものがある。これは、風呂敷および袋の両方の機能を持ち、使用目的に応じて使い分けできる袋兼用の風呂敷である。その構成は、展開状態における正方形の不織布製のシート１の一方の面に、前記シート１の４つの辺の第１の辺１ａのほぼ中央部とこの第１の辺１ａに隣り合う第２の辺１ｂのほぼ中央部とを結ぶ線よりもコーナー側の三角分、および第２の辺１ｂのほぼ中央部とこの第２の辺１ｂに隣り合う第３の辺１ｃのほぼ中央部とを結ぶ線よりもコーナー側の三角分、さらには第３の辺１ｃのほぼ中央部とこの第３の辺１ｃのに隣り合う第４の辺１ｄのほぼ中央部とを結ぶ線よりもコーナー側の三角部分を除く範囲に亘って重なるように、５角形の不織布製のシート２を設け、前記各辺のほぼ中央部間を結ぶ線上近傍においてシート２をシート１に対してヒートシールしてなるものである。
【０００３】
　この構成により、シートの展開状態で５角形のシートの取付面を内面にした風呂敷として使用することができる。袋として使用したい時は、前記展開状態における正方形シートと５角形のシートの重なり面が外側に向くようにひっくり返せば、前記５角形のシートの隣リ合う残り２つの辺のヒートシールされていない開口部を持つ袋状となり、この中に物を入れて、上端の３角部分同士を互いにくくり合わせて、手に下げられるものとなる。（例えば、特許文献１参照。）。
【特許文献１】実開平７−２８８６１号公報
【考案の開示】
【考案が解決しようとする課題】
【０００４】
　上記従来の風呂敷の構成によると、次のような問題があった。即ち、風呂敷および袋の両方の機能を持つものの、その機能は単に一般の風呂敷としての機能と、袋としての機能に止まっており、包み込む物品の形状や個数に対応した最適な包み込みが多機能的にできない。例えば、二つの箱状の物品を上下重ねにした状態での包み込み時に、上下の箱状物の相互のズレ込みが生じてしまい、安定した包み込みができない。また、多数の物品を独立して包み込むことができない。更に、風呂敷としての使用時に、多数の物品の包み込み状態において、携帯に便利な取っ手やループができず、風呂敷の持ち運びに今一つの工夫が求められるという要望・問題があった。
【０００５】
　また、最近は、環境問題や資源再利用の観点から、包装紙を使用した物品の包装をやめて風呂敷で包むことで、ギフト用品等の包装に和風の落ち着きと高質感を求める傾向にある。更に、旅行用の小物入として複数の弁当・果物・菓子類を入れ、内容物が無くなれば折り畳んで上着のポケット等に入れられる多用途な風呂敷の要求も高まっている。しかし、上記従来の風呂敷では、これらの要求に応えられないという問題がみられる。
【０００６】
　本考案は、上記問題点や新たな要求に応えるべくなされたもので、その目的とするところは、二枚構成の風呂敷において、各種の複数の物品を最適な包み込みと携帯に便利な取っ手やループが形成できるようにした多用途風呂敷を提供することにある。
【課題を解決するための手段】
【０００７】
　上記目的を達成するべく本考案の請求項１による多用途風呂敷は、二枚の略正方形のシート部材を上下重ね合わせ、この重ね合わせた二枚のシート部材の四辺の各略中央部を結ぶ十文字線上を接合させたことを特徴とするものである。
　また、請求項２による多用途風呂敷は、請求項１記載の多用途風呂敷において、上記二枚のシート部材は、布製であり、十文字線上を縫製させたことを特徴とするものである。　また、請求項３による多用途風呂敷は、請求項１記載の多用途風呂敷において、上記二枚のシート部材は、熱可塑性合成樹脂製であり、十文字線上をヒートシールさせたことを特徴とするものである。
　また、請求項４による多用途風呂敷は、請求項１記載の多用途風呂敷において、上記二枚のシート部材は、不織布であり、十文字線上を接着させたことを特徴とするものである。
【０００８】
　すなわち、本考案による多用途風呂敷によると、まず、二枚重ねの状態で一枚ものの風呂敷として従来と同様の使用ができることはもとより、重ね合わせた二枚のシート部材において、その四辺の各略中央部を結ぶ十文字線上を接合させたから、二つの大きな箱状体を包み込むのに、内側のシート部材の四隅で一つ目の箱状体を包み込み、二つ目の箱状体を一つ目の箱状体の上にシート部材を介して乗せ、この上側のシート部材を外側のシート部材の四隅で包み込んだ状態で結ぶことができる。
　これで、上下二つの箱状体が独立して包み込まれた形態となつて、上下の箱状体がその位置をずらすことなく安定した状態で包装される。
【０００９】
　また、３つの小物を独立して包み込むには、多用途風呂敷の対角線位置となる角部の二枚シート部材の中に各々２つの小物を入れて二枚の角部で結ぶ。そして、風呂敷中央位置に３つめの小物を乗せ、これを上側のシート部材の他の両角部で包み込むようにして結ぶ、最後に下側、即ち外側となるシート部材の結ばれていない他の両角部で結ぶ。この時の結びを取っ手のようにルーズに結ぶことにより、手提げ袋となる。
　これで、多用途風呂敷で包み込んだ複数の小物の持ち運びが簡単に且つ安全に行える。　
【００１０】
　また、３つの小物を独立して包み込む別の方法は、多用途風呂敷の対角線位置となるシート部材の角部の二枚シート部材の中に各々２つの小物を入れて二枚の角部で結ぶ。次に、３つ目の小物を中間の角部内の二枚風呂敷の中に入れて結ぶ。そして、小物が入っていないシート部材の角部の下側を反転して包み込まれている３つの小物を外側から、包み込み、上側の角部とを結んで舟形に包装する。
　これで、複数の小物を一つの舟形を呈する風呂敷の包装形態で包み込ませられ、一つの袋状となって、外観が優れたものとなる。
【００１１】
　また、４つの小物を独立して包み込む別の方法は、多用途風呂敷の対角線位置となる４つの角部内に各々４つの小物を入れてその二枚の角部で各々４ヶ所を結ぶ。これで、４つの小物が独立して独立して包み込まれるものの、二枚重ねの多用途風呂敷で一体に包装される。この包み方法によると、茶碗等の割れやすい複数の小物の包装に最適である。
【００１２】
　また、５つの小物を独立して包み込む別の方法は、多用途風呂敷の対角線位置となる２つの角部内に各々１つの小物を入れてその二枚の角部で各々２ヶ所を結ぶ。次に、シート部材の他の対角線位置となる２つの角部内に各々１つの小物を入れてその角部で結ぶ。そして、シート部材の中央部に１つの小物を置き、結ばれていない一対の角部において、内側の一方の角部と外側の他方の角部とをルーズに結ぶ。また、シート部材の結ばれていない一対の角部において、内側の他方の角部と外側の一方の角部とをルーズに結ぶ。
【００１３】
　これで、交差する２つのルーズな結び部ができ、この結び部を手に持って持ち運びできるようになる。しかして、５つの小物を独立して包み込んだ多用途風呂敷は、この結び部を手に持って便利に持ち運びできる。
【００１４】
　尚、上記多用途風呂敷は、二枚のシート部材を布製とし、十文字線上を縫製させる形態を採ると、上下に二枚重ねした風呂敷は、十文字線上を縫製させることで、製品化できるから、その製造工程の簡略化で安価で手軽な商品が得られる。
　また、多用途風呂敷は、二枚のシート部材を熱可塑性合成樹脂製とし、十文字線上をヒートシールさせる形態を採ると、上下に二枚重ねした風呂敷は、十文字線上をヒートシールさせるだけで製品化されるから、その製造工程の簡略化で安価で手軽な商品が得られる。
　また、多用途風呂敷は、二枚のシート部を不織布とし、十文字線上を接着させることで、製品化できるから、その製造工程の簡略化で安価で手軽な商品が得られる。
【考案の効果】
【００１５】
　本考案の多用途風呂敷によると、１つから５つの収納箇所が作れ、そこに１つの小物から５つ以上の複数小物の包み込みが独立してできるとともに、各種の包み込みの形態が簡単な結びで容易にできる。そして、和風の高級感が醸し出せるし、各小物が独立して包めるから商品の保護を図ることができ、且つ持ち手の形成等で持ち運びも便利化できる。即ち、旅行用の小物入として複数の弁当・果物・菓子類を分別して入れることができ、内容物が無くなれば折り畳んで上着のポケット等に入れられる多用途な風呂敷として使用できる。更に、二枚の風呂敷の色彩を赤白や黒白にして慶弔用の飾り袋として豪華な雰囲気を醸し出せる。
【００１６】
　また、多用途風呂敷の製造は、二枚のシート部材を用意し、この十文字線上を縫製・ヒートシール・接着等の形態を採るだけで製品化できるから、安価で手軽な商品として利用者に提供できる。
【考案を実施するための最良の形態】
【００１７】
　以下、図１乃至図１９を参照して本考案の実施の形態を説明する。図１は本実施の形態となる多用途風呂敷の二枚シートの斜視図であり、図２はその多用途風呂敷の斜視図である。図３以降は各種小物の包み込み例を示す説明図である。
【００１８】
　まず、多用途風呂敷１００の構成を説明する。図１と図２において、二枚の略正方形のシート部材１，２を上下重ね合わせる。この重ね合わせた二枚のシート部材１，２の四辺１ａ，１ｂ，１ｃ，１ｄと２ａ，２ｂ，２ｃ，２ｄの各略中央部（Ｖ，Ｗ）を結ぶ十文字線３，５上を接合させた多用途風呂敷１００である。上記二枚のシート部材１，２は、例えば、布製であるときは、十文字線上を縫製させている。また、上記上記二枚のシート部材１，２が熱可塑性合成樹脂製であるときは、十文字線上をヒートシールさせている。更に、上記二枚のシート部材１，２が不織布であるときは、十文字線上を接着させている。上記熱可塑性合成樹脂製とは、例えばポリエチレン、ポリプロピレン、ポリスチレン、ポリ塩化ビニル、ナイロン、ポリスチレン等をいう。
【００１９】
　尚、上記二枚のシート部材１，２は、慶弔用に仕立てる場合は、赤・白の組み合わせ、又は白・黒の組み合わせとすることかできる。その他、その風呂敷の使用目的や使用される年代別に対応した色彩や色柄等に、自由に染色又はプリント処理される。
【００２０】
　以上の構成からなる多用途風呂敷１００の使用例と作用を説明する。まず、図２〜図６において、二つの箱状体１０，２０を上下に重ね合わせた包み込み結びを説明する。まず、多用途風呂敷１００において、この二枚のシート部材１，２の四辺１ａ，１ｂ，１ｃ，１ｄと２ａ，２ｂ，２ｃ，２ｄの各略中央部（Ｖ，Ｗ）を結ぶ十文字線３，５上を接合させているから、二つの大きな箱状体１０，２０を包み込むのに、内側の風呂敷となるシート部材２の角部ａ´，ｂ´，ｃ´，ｄ´で一つ目の箱状体１０を包み込む。そして、図４に示すように、二つ目の箱状体２０を一つ目の箱状体１０の上に上側のシート部材２を介して乗せる。そして、図５と図６に示すように、上側のシート部材２と箱状体２０を外側即ち下側のシート部材１の角部ａ，ｂ，ｃ，ｄで包み込んだ状態で結んだものである。尚、図３において、内側のシート部材２の２つの角部ａ´，ｃ´またはｂ´，ｄ´で結んでも良い。
　これで、上下二つの箱状体１０，２０が独立して包み込まれた形態となる。この包装手順により、上下の箱状体がその位置をずらすことなく安定した状態で多用途風呂敷１００に包装される。
【００２１】
　次に、図２と図７〜図１０において、３つの小物３０，３２，３５を独立して包み込む手順を説明する。まず、多用途風呂敷１００において、この二枚シート部材１，２の対角線位置（Ｘ）となる角部ｂ´，ｂとｄ´，ｄの中に各々２つの小物３０，３２を入れて対向する二枚の角部ｂ´，ｂとｄ´，ｄで結ぶ。そして、風呂敷中央位置ＣＯに３つ目の小物３５を乗せ、これを図８に示すように、上側のシート部材２の他方の両角部ａ´，ｃ´で包み込むようにして結ぶ。最後に、図９に示すように、下側、即ち外側となるシート部材１の結ばれていない他の両角部部ａ，ｃで結ぶ。この時、図１０に示すように、両角部部ａ，ｃをルーズに結び、この結び目を取っ手２５としてルーズに結ぶことにより、手提げ袋１１０としたものである。
　これで、多用途風呂敷１００で包み込んだ複数の小物３０，３２，３５の持ち運びが簡単に且つ安全に行える。
【００２２】
　また、図２と図１１〜図１３において、３つの小物３０，３２，３５を独立して包み込む別の手順を説明する。まず、多用途風呂敷１００において、この二枚シート部材１，２の対角線位置（Ｘ）となる角部ｂ´，ｂと角部ｄ´，ｄの中に各々２つの小物３０，３２を入れ、この二枚シート部材１の角部ｄ´，ｄとｂ´，ｂで結ぶ。次に、３つ目の小物３５を対角線位置（Ｙ）となる二枚シート部材１，２の中間の角部ｃ´，ｃ´内の中に入れて結ぶ。そして、図１２に示すように、小物が入っていない二枚シート部材１，２におけるシート部材１の下側の角部ａを反転し、既に包み込まれている３つの小物３０，３２，３５を更に外側から包み込む。これで、図１３に示すように、上側にした角部ａ，ａ´間を結んで舟形に包装するものである。
　上記のように結ぶと、複数の小物３０，３２，３５を一つの舟形を呈する風呂敷の包装形態で包み込まれ、一つの袋状となって、外観が優れたものとなる。
【００２３】
　また、図１４において、４つの小物４０，４２，４４，４６を独立して包み込む別の手順を説明する。まず、多用途風呂敷１００において、この二枚シート部材１，２の対角線位置（Ｘ)(Ｙ）となる４つの角部ａ，ａ´とｂ´，ｂとｃ´，ｃ´とｄ´，ｄ内に各々４つの小物４０，４２，４４，４６を入れる。そして、この二枚シート部材１，２の角部ａ，ａ´とｂ´，ｂとｃ´，ｃ´とｄ´，ｄの４ヶ所を結ぶ。これで、４つの小物４０，４２，４４，４６が独立して独立して包み込まれるとともに、二枚重ねのシート部材１，２で一体に包装されるものである。この包装によると、４つの小物４０，４２，４４，４６間が柔らかいシート部材１，２で隔離されて緩衝材となり、茶碗等の割れやすい複数の小物の包装に最適である。
【００２４】
　また、図１５と図１６において、５つの小物５０，５２，５４，５６，５８を独立して包み込む別の手順を説明する。まず、多用途風呂敷１００において、図１５に示すように、この二枚シート部材１，２の対角線位置（Ｘ)(Ｙ）となる４つの角部ａ，ａ´とｂ´，ｂとｃ´，ｃとｄ´，ｄ内に各々１つの小物５０，５２，５４，５６を入れ、この二枚シート部材１，２の角部ａ，ａ´とｂ´，ｂとｃ´，ｃとｄ´，ｄで各々４ヶ所を結び、図１６とする。次に、図１６に示すように、中央部ＣＯに５つ目の小物５８を入れる。
【００２５】
　また、図１７〜図１９に示すように、取っ手となる結び部６１，６２を設ける結び方を説明する。まず、図１７において、角部ａ，ａ´とｃ´，ｃに小物５０，５４を入れて結ぶ。そして、角部ｂ´，ｂとｄ´，ｄの中と中央部ＣＯに小物５２，５６，５８を置く。次に、図１８に示すように、結ばれていない一対の角部ｂ´，ｂとｄ´，ｄにおいて、内側の一方の角部ｄ´と内側の他方の角部ｂ´とを１回縛って交差部６４とし、さらに、内側の一方の角部ｄ´と外側の他方の角部ｂとをルーズに結ぶ。また、内側の他方の角部ｂ´と外側の一方の角部ｄとをルーズに結んで包装されるものである。
【００２６】
　これで、図１９に示すように、多用途風呂敷１００において、５つの小物が独立して包装されるとともに、交差部６４を取っ手にして手に持って持ち運びできるものとなる。
【００２７】
　以上のように、本考案の実施の形態によると、次のような効果を奏することができる。まず、多用途風呂敷１００は、１つから５つの収納箇所が作れ、そこに１つの小物から５つ以上の複数小物の包装が独立した各種の形態で簡単に行える。これにより、各小物が独立して包装されているから商品の保護を図ることができ、且つ、取っ手の形成等で持ち運びも便利化できる。即ち、旅行用の小物入れとして弁当・果物・菓子類を分別して入れることができるし、内容物が無くなれば折り畳んで上着のポケット等に入れて多用途な風呂敷として使用できる。更に、二枚の風呂敷の色彩を赤・白や黒・白にして慶弔用の飾り袋として豪華な雰囲気や和風の高級感が醸し出せる。
【００２８】
　また、多用途風呂敷の製造は、二枚のシート部材を用意し、この十文字線上を縫製・ヒートシール・接着等の形態を採るだけで製品化できるから、安価で手軽な商品として利用者に提供できる。
【００２９】
　尚、本考案は上記実施の形態に限定されない。上記実施の形態では、２重構造の四角形の風呂敷を使用した例について説明したが、長方形や角が丸みを帯びた四角形状等の風呂敷の形状とすることができる。更に、小物の包み込み例は、上記に紹介したものに限定されず、種々の物品の包装に使用できる。
【産業上の利用可能性】
【００３０】
　本考案は、その対象物を風呂敷としたものであるが、様々な物品の包み込みや人体への適用が可能である。例えば、大きな風呂敷とすれば、バッグとして肩から掛ける簡易バッグとすることができる。素材の選択によりスカーフとしても良く。更に、膝掛けやバンダナ等への利用も可能である。
【図面の簡単な説明】
【００３１】
【図１】本考案の実施の形態を示し、多用途風呂敷の二枚シートの斜視図である。
【図２】本考案の実施の形態を示し、多用途風呂敷の斜視図である。
【図３】本考案の実施の形態を示し、２つの箱状体の包み込みの説明図である。
【図４】本考案の実施の形態を示し、２つの箱状体の包み込みの説明図である。
【図５】本考案の実施の形態を示し、２つの箱状体の包み込みの説明図である。
【図６】本考案の実施の形態を示し、２つの箱状体の包み込みの説明図である。
【図７】本考案の実施の形態を示し、３つの小物の包み込みの説明図である。
【図８】本考案の実施の形態を示し、３つの小物の包み込みの説明図である。
【図９】本考案の実施の形態を示し、３つの小物の包み込みの説明図である。
【図１０】本考案の実施の形態を示し、３つの小物の包み込みにて取っ手を設けた説明図である。
【図１１】本考案の実施の形態を示し、３つの小物の包み込みの説明図である。
【図１２】本考案の実施の形態を示し、３つの小物の包み込みの説明図である。
【図１３】本考案の実施の形態を示し、３つの小物の包み込みにて舟形にした説明図である。
【図１４】本考案の実施の形態を示し、４つの小物の包み込みの説明図である。
【図１５】本考案の実施の形態を示し、５つの小物の包み込みの説明図である。
【図１６】本考案の実施の形態を示し、５つの小物の包み込みの説明図である。
【図１７】本考案の実施の形態を示し、５つの小物の包み込みにて取っ手結びの説明図である。
【図１８】本考案の実施の形態を示し、５つの小物の包み込みにて取っ手結びの説明図である。
【図１９】本考案の実施の形態を示し、５つの小物の包み込みにて取っ手結びの説明図である。
【図２０】従来の風呂敷を示す斜視図である。
【符号の説明】
【００３２】
　１，２　　　　　　　　　　シート部材
　１ａ，１ｂ，１ｃ，１ｄ　　四辺
　２ａ，２ｂ，２ｃ，２ｄ　　四辺
　Ｖ，Ｗ　　　　　　　　　　各略中央部
　Ｘ，Ｙ　　　　　　　　　　対角線位置
　３，５　　　　　　　　　　十文字線
　ａ´，ｂ´，ｃ´，ｄ´　　角部
　ａ，ｂ，ｃ，ｄ　　　　　　角部
　１０，２０　　　　　　　　箱状体
　２５　　　　　　　　　　　取っ手
　３０〜５８　　　　　　　　小物
　６１，６２　　　　　　　　結び部
　１００　　　　　　　　　　多用途風呂敷
【図１】
0003099509.tif 000003
【図２】
0003099509.tif 000004
【図３】
0003099509.tif 000005
【図４】
0003099509.tif 000006
【図５】
0003099509.tif 000007
【図６】
0003099509.tif 000008
【図７】
0003099509.tif 000009
【図８】
0003099509.tif 000010
【図９】
0003099509.tif 000011
【図１０】
0003099509.tif 000012
【図１１】
0003099509.tif 000013
【図１２】
0003099509.tif 000014
【図１３】
0003099509.tif 000015
【図１４】
0003099509.tif 000016
【図１５】
0003099509.tif 000017
【図１６】
0003099509.tif 000018
【図１７】
0003099509.tif 000019
【図１８】
0003099509.tif 000020
【図１９】
0003099509.tif 000021
【図２０】
0003099509.tif 000022
【手続補正書】
【提出日】平成15年8月7日(2003.8.7)
【手続補正１】
【補正対象書類名】図面
【補正対象項目名】全図
【補正方法】変更
【補正の内容】
【図１】
0003099509.tif 000023
【図２】
0003099509.tif 000024
【図３】
0003099509.tif 000025
【図４】
0003099509.tif 000026
【図５】
0003099509.tif 000027
【図６】
0003099509.tif 000028
【図７】
0003099509.tif 000029
【図８】
0003099509.tif 000030
【図９】
0003099509.tif 000031
【図１０】
0003099509.tif 000032
【図１１】
0003099509.tif 000033
【図１２】
0003099509.tif 000034
【図１３】
0003099509.tif 000035
【図１４】
0003099509.tif 000036
【図１５】
0003099509.tif 000037
【図１６】
0003099509.tif 000038
【図１７】
0003099509.tif 000039
【図１８】
0003099509.tif 000040
【図１９】
0003099509.tif 000041
【図２０】
0003099509.tif 000042